(57)【特許請求の範囲】
【請求項１】
単票用紙が積載されたホッパプレ−トを回動自在に備えた給紙トレイが、給紙装置内部に装着されると、ホッパプレートが上昇し、ホッパプレ−トに積載された単票用紙がホッピングロ−ラに押しつけられて繰り出される給紙装置であって、
給紙装置本体に備えられ、給紙トレイの給紙装置本体への装着に伴い該ホッパプレートを上昇方向に付勢する付勢部と、該付勢部の付勢力に抗して該ホッパプレートの上昇を阻止する阻止部とからなる上昇機構と、
給紙トレイに備えられ、給紙トレイが給紙装置本体の所定の位置へ装着されると該上昇機構の阻止部の作用を解除する機構と、阻止部の作用の解除により該上昇機構の付勢力を働かせ該ホッパプレートを上昇方向に動かす機構とからなる上昇機構動作部とを備え、
上記上昇機構の付勢部は、側壁に回動自在に設けられ、給紙トレイの装着時に、一端がホッパプレ−トの一部に対向する略Ｌ字状のア−ムと、
Ｌ字状ア−ムよりも給紙トレイ装着方向下流に設けられ、給紙装置の側壁に対して摺動及び回動自在に支持されたスライド部材と、
スライド部材に設けられた支持ポストと、
スライド部材の側面に設けられ、上記支持ポストよりも給紙トレイ装着方向下流で側壁側に向かって突出している第１の突起と、
スライド部材の側面に設けられ、上記支持ポストよりも給紙トレイ装着方向下流で給紙トレイ側に向かって突出している第２の突起と、
一端がスライド部材の他端に取り付けられ、他端がＬ字状ア−ムの他端に取り付けられ、Ｌ字状ア−ムとスライド部材とを互いに近付ける方向に付勢する付勢部材と、
上記スライド部材よりも給紙トレイ装着方向下流に設けられ、給紙トレイ装着時に上記第１の突起が引っ掛かり、ホッパプレ−トが上昇した状態を保持する水平カム面を備えたカム状凸部とから構成され、
上記上昇機構の阻止部は、給紙トレイが所定位置に装着されていない場合に、上記Ｌ字状ア−ムの給紙トレイ方向への回動を阻止するリンク機構から構成され、
上記上昇機構動作部のホッパプレートを上昇方向に動かす機構は、上記給紙トレイの側壁が、装着方向と直交する方向に突出して形成され、給紙装置の所定位置までの装着により、上記支持ポストに当接し、スライド部材を摺動させる第１の凸部と、
上記第１の凸部よりも給紙トレイ装着方向下流で、上記給紙トレイの側壁が、装着方向と直交する方向に突出して形成され、給紙装置の所定位置までの装着により、上記第２の突起をひっ掛け、ホッパプレ−トが上昇した状態を保持する第３の凸部とから構成され、
上記上昇機構動作部における上昇機構の阻止部の作用を解除する機構は、上記第１の凸部よりも給紙トレイ装着方向上流で、上記給紙トレイの側壁が、給紙トレイ装着方向と直交する方向に突出して形成され、給紙装置の所定位置までの装着によりリンク機構の一部を回動させて、Ｌ字状ア−ムをホッパプレ−トを上昇させる方向へ回動させる第２の凸部で構成される給紙装置。
【請求項２】
上記リンク機構は、一端が側壁に回動自在に設けられた第１のリンクと、
一端がＬ字状ア−ムの一端に取り付けられ、他端が第１のリンクの他端と係合し、回動する第２のリンクと、
第１のリンクと第２のリンクの回動を阻止する阻止機構と、
第１のリンクと第２のリンクとの係合地点に設けられ、上記給紙トレイの所定位置までの装着により第２の凸部に押圧され、上記第１のリンクと第２のリンクとを該阻止機構に抗して回動させるリンクポストとから構成される請求項１記載の給紙装置。
【請求項３】
上記第１のリンクと第２のリンクの回動を阻止するの阻止機構は、第１のリンクに取り付けられ、回動を阻止する方向へ第１のリンクと第２のリンクを付勢するト−ションスプリングと、
給紙装置本体のト−ションスプリングの付勢力が印加される方向に設けられ、第１のリンクと第２のリンクとを静止させるリンクストッパとから構成される請求項２記載の給紙装置。
【請求項４】
上記第１のリンクと第２のリンクの回動の阻止機構は、ホッパプレ−トが上昇しておらず、Ｌ字状ア−ムが静止している状態で、第２のリンクが取り付けられたＬ字状ア−ムの一端の中心と、第１のリンクの一端の回動中心とを結んだ線よりも、上記リンクポストが給紙トレイ装着方向上流に位置し、且つ第１のリンクの一端の回動中心と、リンクポストの中心とを結んだ線が垂直となるように、Ｌ字状ア−ムと第１のリンクと第２のリンクとリンクポストとを配置したことにより行われる請求項２記載の給紙装置。
【請求項５】
上記リンク機構は、一端がＬ字状ア−ムの一端に取り付けられ、静止時にはＬ字状ア−ムの回動を阻止し、回動すると、Ｌ字状ア−ムをホッパプレ−トに当接する方向に回動させるリンクと、
上記リンクの回動軌跡に対応する給紙装置の側壁に形成されたカム状壁と、
Ｌ字状ア−ムが静止している状態において、上記リンクの一端よりも給紙トレイ装着方向上流に対応する位置のカム状壁に形成されたリンク係止部と、
一端がＬ字状ア−ムの一端に取り付けられ、他端が上記リンクに取り付けられ、リンクの他端をリンク係止部に係止させる方向に付勢するト−ションスプリングとから構成される請求項１記載の給紙装置。
【請求項６】
単票用紙が積載されたホッパプレ−トを回動自在に備えた給紙トレイが、給紙装置内部に装着されると、ホッパプレートが上昇し、ホッパプレ−トに積載された単票用紙がホッピングロ−ラに押しつけられて繰り出される給紙装置であって、
給紙装置本体に備えられ、給紙トレイの給紙装置本体への装着に伴い該ホッパプレートを上昇方向に付勢する付勢部と、該付勢部の付勢力に抗して該ホッパプレートの上昇を阻止する阻止部とからなる上昇機構と、
給紙トレイに備えられ、給紙トレイが給紙装置本体の所定の位置へ装着されると該上昇機構の阻止部の作用を解除する機構と、阻止部の作用の解除により該上昇機構の付勢力を働かせ該ホッパプレートを上昇方向に動かす機構とからなる上昇機構動作部とを備え、
上記上昇機構の付勢部は、側壁に回動自在に設けられ、給紙トレイの装着時に、一端がホッパプレ−トの一部に対向する略Ｌ字状のア−ムと、
Ｌ字状ア−ムよりも給紙トレイ装着方向下流に設けられ、給紙装置の側壁に対して摺動及び回動自在に支持されたスライド部材と、
スライド部材に設けられた支持ポストと、
一端がスライド部材の他端に取り付けられ、他端がＬ字状ア−ムの他端に取り付けられ、Ｌ字状ア−ムとスライド部材とを互いに近付ける方向に付勢する付勢部材と給紙トレイ装着時に給紙トレイが摺動する摺動面に垂直に形成された垂直壁とから構成され、
上記上昇機構の阻止部は、給紙トレイが所定位置に装着されていない場合には、上記Ｌ字状ア−ムの給紙トレイ方向への回動を阻止するリンク機構で構成され、
上記上昇機構動作部のホッパプレートを上昇方向に動かす機構は、上記給紙トレイの側壁が、装着方向と直交する方向に突出して形成され、給紙装置の所定位置までの挿入により、上記支持ポストに当接し、スライド部材を摺動させる第１の凸部と、側壁に回動自在に設けられ、給紙トレイが所定位置に装着されると、上記垂直壁に引っ掛かり、ホッパプレ−トが上昇した状態を保持するフックア−ムとから構成され、
上記上昇機構動作部における上昇機構の阻止部の作用を解除する機構は、上記第１の凸部よりも給紙トレイ装着方向上流で、上記給紙トレイの側壁が、給紙トレイ装着方向と直交する方向に突出して形成され、給紙装置の所定位置までの挿入によりリンク機構の一部を回動させて、Ｌ字状ア−ムをホッパプレートを上昇させる方向へ回動させる第２の凸部で構成される給紙装置。
【請求項７】
上記リンク機構は、一端が側壁に回動自在に設けられた第１のリンクと、
一端がＬ字状ア−ムの一端に取り付けられ、他端が第１のリンクの他端と係合し、回動する第２のリンクと、
第１のリンクと第２のリンクの回動を阻止する阻止機構と、
第１のリンクと第２のリンクとの係合地点に設けられ、上記給紙トレイの所定位置までの装着により第２の凸部に押圧され、上記第１のリンクと第２のリンクとを該阻止機構に抗して回動させるリンクポストとから構成される請求項６記載の給紙装置。
【請求項８】
上記第１のリンクと第２のリンクの回動を阻止する阻止機構は、第１のリンクに取り付けられ、回動を阻止する方向へ第１のリンクと第２のリンクを付勢するト−ションスプリングと、
給紙装置本体のト−ションスプリングの付勢力が印加される方向に設けられ、第１のリンクと第２のリンクとを静止させるリンクストッパとから構成される請求項７記載の給紙装置。
【請求項９】
単票用紙が積載されたホッパプレ−トを回動自在に備えた給紙トレイが、給紙装置内部に装着されると、ホッパプレートが上昇し、ホッパプレ−トに積載された単票用紙がホッピングロ−ラに押しつけられて繰り出される給紙装置において、
給紙装置本体に、給紙トレイが内部に装着されると、ホッパプレートを上昇させる上昇機構を設け、
給紙トレイに、給紙装置の所定位置への装着にともない、ホッパプレートを上昇させる方向に上昇機構を働かす上昇機構動作部とを備え、
上記上昇機構は、側壁に回動自在に設けられ、自重で、一端は給紙トレイの装着時に給紙トレイが摺動する摺動面よりも下方に位置し、回動することにより一端がホッパプレ−トを上昇させる略三角形のア−ムと、
三角形ア−ムよりも用紙カセット装着方向下流に設けられ、給紙装置の側壁に対して摺動及び回動自在に支持されたスライド部材と、
スライド部材に設けられた支持ポストと、
一端がスライド部材に取り付けられ、他端が三角形ア−ムの他端に取り付けられ、三角形ア−ムとスライド部材とを互いに近付ける方向に付勢する付勢部材と、
スライド部材の側面に設けられ、上記支持ポストよりも給紙トレイ装着方向下流で側壁側に向かって突出している第１の突起と、
スライド部材の側面に設けられ、上記支持ポストよりも給紙トレイ装着方向下流で給紙トレイ側に向かって突出している第２の突起と、
上記スライド部材よりも給紙トレイ装着方向上流に設けられ、給紙トレイ装着時に上記第１の突起が引っ掛かり、ホッパプレ−トが上昇した状態を保持する水平カム面を備えたカム状凸部とから構成され、
上記上昇機構動作部は、上記給紙トレイの側壁が、装着方向と直交する方向に突出して形成され、給紙トレイの所定位置までの装着により、上記支持ポストに当接し、スライド部材を摺動させる第１の凸部と、
上記第１の凸部よりも給紙トレイ装着方向下流で、上記給紙トレイの側壁が、装着方向と直交する方向に突出して形成され、給紙装置の所定位置までの装着により、上記第２の突起をひっ掛け、ホッパプレ−トが上昇した状態を保持する第２の凸部と、
給紙トレイ装着時、上記三角形ア−ムの一端よりも上方を摺動し、給紙トレイ方向に突出して給紙トレイ装着方向に所定長さだけ設けられ、給紙トレイが所定位置まで装着されるまでは三角形ア−ムの回動を規制する規制リブとから構成される給紙装置。
【発明の詳細な説明】
【０００１】
【産業上の利用分野】
本発明は、印刷装置やファクシミリ装置等の情報処理装置に単票用紙を供給する給紙装置に関する。
【０００２】
【従来の技術】
従来、印刷装置に単票用紙を供給する場合、給紙トレイのホッパプレ−ト上に単票用紙を積載し、給紙トレイを印刷装置あるいは印刷装置に単票用紙を供給する給紙装置に装着して、単票用紙を印刷装置に自動供給する方法が一般に採用されている。印刷装置側あるいは給紙装置側には、給紙トレイ上の最上部の単票用紙を１枚ずつ繰り出すピッキングロ−ラが備わっている。給紙トレイは、印刷装置あるいは給紙装置から抜かれた状態では、ホッパプレ−トが給紙トレイ底部に位置付けられ、印刷装置あるいは給紙装置に装着された時に、ホッパプレ−トが上昇して、単票用紙をピッキングロ−ラに押圧するようになっている。単票用紙が、ピッキングロ−ラに押圧されることにより、給紙トレイから繰出し可能な状態となる。そのような印刷装置を開示したものとして例えば特公平５−２１８０７号公報に記載された装置が挙げられる。
【０００３】
その公報によれば、給紙トレイのホッパプレ−トに積載した単票用紙をピッキングロ−ラに押圧して、単票用紙を給紙可能な状態とするために、給紙トレイに揺動レバ−、可動部材、付勢バネ等の機構部材を備えており、プリンタから外した状態ではポッパプレ−トが給紙トレイ底部に位置付けられ、プリンタに装着されたときに、ポッパプレ−トが回動して、積載されている単票用紙をスプリングの力でピッキングロ−ラに押しつけるようになっている。
【０００４】
【発明が解決しようとする課題】
従来の印刷装置あるいは給紙装置においては、オペレ−タが印刷装置あるいは給紙装置本体から抜き差しする給紙トレイに、単票用紙をピッキングロ−ラに押圧する機構部材が取り付けられているので、給紙トレイの重量が重く、オペレ−タの作業性が悪いという問題点があった。また、給紙トレイを抜き差しする際に、誤って落としてしまうと、給紙トレイに設けられた機構部品を破損してしまう場合があるという問題点があった。
【０００５】
更に、給紙装置の稼働時には、印刷に使用される単票用紙のサイズの種類数に応じて複数個の給紙トレイを常備して運用することが多いが、給紙トレイに多くの機構部品が設けられていると、部品点数が増えるて高価になり、高価な給紙トレイを印刷に必要な単票用紙のサイズに応じて数多く揃えなければならないという問題点があった。
【０００６】
【課題を解決するための手段】
上記課題を解決するために、本発明で設けた解決手段は、単票用紙が積載されたホッパプレ−トを回動自在に備えた給紙トレイが、内部に装着されると、ホッパプレートが上昇し、ホッパプレ−トに積載された単票用紙がホッピングロ−ラに押しつけられて繰り出される給紙装置において、給紙装置本体に、給紙トレイの給紙装置本体への装着に伴いホッパプレートを上昇方向に付勢する付勢部材と、付勢部材の付勢力に抗してホッパプレートの上昇を阻止する阻止部材とからなる上昇機構と、給紙トレイに、給紙装置本体への装着に伴い上昇機構の付勢部材の付勢力を働かせホッパプレートを上昇方向に動かす機構と、給紙装置本体の所定の位置への装着に伴い上昇機構の阻止部材の作用を解除する機構とからなる上昇機構動作部とを設けたものであり、
上記上昇機構の付勢部は、側壁に回動自在に設けられ、給紙トレイの装着時に、一端がホッパプレ−トの一部に対向する略Ｌ字状のア−ムと、
Ｌ字状ア−ムよりも給紙トレイ装着方向下流に設けられ、給紙装置の側壁に対して摺動及び回動自在に支持されたスライド部材と、
スライド部材に設けられた支持ポストと、
スライド部材の側面に設けられ、上記支持ポストよりも給紙トレイ装着方向下流で側壁側に向かって突出している第１の突起と、
スライド部材の側面に設けられ、上記支持ポストよりも給紙トレイ装着方向下流で給紙トレイ側に向かって突出している第２の突起と、
一端がスライド部材の他端に取り付けられ、他端がＬ字状ア−ムの他端に取り付けられ、Ｌ字状ア−ムとスライド部材とを互いに近付ける方向に付勢する付勢部材と、
上記スライド部材よりも給紙トレイ装着方向下流に設けられ、給紙トレイ装着時に上記第１の突起が引っ掛かり、ホッパプレ−トが上昇した状態を保持する水平カム面を備えたカム状凸部とから構成され、
上記上昇機構の阻止部は、給紙トレイが所定位置に装着されていない場合に、上記Ｌ字状ア−ムの給紙トレイ方向への回動を阻止するリンク機構から構成され、
上記上昇機構動作部のホッパプレートを上昇方向に動かす機構は、上記給紙トレイの側壁が、装着方向と直交する方向に突出して形成され、給紙装置の所定位置までの装着により、上記支持ポストに当接し、スライド部材を摺動させる第１の凸部と、
上記第１の凸部よりも給紙トレイ装着方向下流で、上記給紙トレイの側壁が、装着方向と直交する方向に突出して形成され、給紙装置の所定位置までの装着により、上記第２の突起をひっ掛け、ホッパプレ−トが上昇した状態を保持する第３の凸部とから構成され、
上記上昇機構動作部における上昇機構の阻止部の作用を解除する機構は、上記第１の凸部よりも給紙トレイ装着方向上流で、上記給紙トレイの側壁が、給紙トレイ装着方向と直交する方向に突出して形成され、給紙装置の所定位置までの装着によりリンク機構の一部を回動させて、Ｌ字状ア−ムをホッパプレ−トを上昇させる方向へ回動させる第２の凸部で構成される給紙装置。
【０００７】
【作用】
単票用紙が積載されたホッパプレ−トを回動自在に備えた給紙トレイが、給紙装置本体内部に装着されると、給紙トレイの上昇機構動作部が働き、給紙装置本体に設けられた上昇機構の付勢部材にホッパプレートを上昇させる方向の付勢力を生じさせるが、上昇機構は阻止部材による阻止力が働き、ホッパプレートの上昇は抑えられる。
給紙トレイが給紙装置本体の所定位置に装着されると、阻止部材の作用が解除され、上昇機構がホッパプレートを上昇させ、ホッパプレートに積載された単票用紙をホッピングローラに押しつけ、繰り出し可能な状態とする。
【０００８】
【実施例】
本発明の実施例について図面を参照しながら説明する。尚、各図面に共通な要素には同一符号を付す。
【０００９】
第１実施例
図１は本発明に係る第１実施例の給紙トレイを示す斜視図、図２は第１実施例の印刷装置の構造を示す説明図、図３は第１実施例の給紙装置を示す斜視図、図４は第１実施例の給紙装置の構造を示す説明図である。
図２において、印刷装置１は、印刷装置１に単票用紙を供給する第１の給紙装置２と、第２の給紙装置３と、第１の給紙装置２と、第２の給紙装置３に積載された単票用紙４を繰り出すホッピングロ−ラ５と、繰り出された単票用紙に印刷を行う印刷部６と、印刷済み単票用紙４が排出される排出部７とから構成される。
【００１０】
第２の給紙装置（以下給紙装置とする）３は、印刷装置１に対して着脱自在となっており、図３に示す形状をしている。図３、図４において、給紙装置３は、給紙装置本体８と、給紙装置本体８に対して着脱自在となっている給紙トレイ９とから構成される。給紙装置本体８は、左右の側壁１０、１１と、フロントカバ１２と、用紙ガイド１３と、側壁１０と側壁１１とを支持締結する天井板１４と後部支持フレ−ム１５とから構成される。
【００１１】
図４において、フロントカバ１２には用紙ル−ト１６が形成され、また、ホッピングロ−ラ５が回転可能に軸支されており、ホッピングロ−ラ５には、給紙装置３内部に設けられたアイドルギア１８、１９を介してモ−タ１７の駆動が伝達されるようになっている。そして、モ−タ１７が駆動されることにより、ホッピングロ−ラ５を回転させて、給紙トレイ９に収納された単票用紙４を用紙ル−ト１６を経由して図２に示す印刷装置１へ供給する。
【００１２】
次に給紙トレイ９について説明する。図１において、給紙トレイ９のトレイフレ−ム３０の左右の側壁２０、２１には、給紙トレイ９の略中央部に、給紙トレイ装着方向と直交する方向に側壁２０、２１が突出して形成された第１の凸部２２と、第１の凸部２２よりも給紙トレイ装着方向上流（矢印Ｃ方向）で、左右の側壁２０、２１の第１の凸部２２間の距離よりもわずかに広く、また側壁２０、２１間の最大幅を有した状態で、給紙トレイ装着方向と直交する方向に側壁２０、２１が突出して形成された第２の凸部２３と、第１の凸部２２から所定の距離Ｌ１だけ給紙トレイ装着方向下流（矢印Ｂ方向）で、給紙トレイ装着方向と直交する方向に側壁２０、２１が突出して形成された第３の凸部２４が設けられている。側壁２０、２１には、給紙トレイ９が給紙装置本体８に装着される際に、給紙装置３の後述する給紙トレイ支持面上を摺動する摺動支持面２５が形成されている。側壁２０、２１にはまた、ホッパプレ−ト２６が、ポスト２７により回動自在に取り付けられている。回動支点と反対側端部のホッパプレ−ト２６には、張出部２８が形成されている。そして、この張出部２８は、張出部２８の回動軌跡に沿って側壁２０、２１に形成された開口２９ａから側壁外側に突出しており、その突出位置は、摺動支持面２５からわずかに高い位置から突出している。
【００１３】
以上上記第１の凸部２２と、第２の凸部２３と、第３の凸部２４とで上昇機構動作部３１が構成されている。
【００１４】
次に給紙装置３の側壁１０、１１に設けられた上昇機構３２について説明する。ここでは、右側の側壁１１について説明するが、左側の側壁１０についても、同一部材が右側の側壁１１と対称に具備されている。図５は第１実施例の給紙装置本体の一部を示す斜視図、図６は第１実施例の給紙装置本体の一部の構造を示す説明図、図７は第１実施例のスライド部材を示す斜視図、図８は第１実施例のスライド部材を示す側面図、図９は第１実施例の給紙装置本体の一部の構造を示す説明図、図１０は第１実施例のスライド部材を示す側面図である。
【００１５】
図５において、側壁１１には、給紙トレイ支持面３３が形成されており、給紙トレイ支持面３３上は、給紙トレイ９が給紙装置本体８に装着される際に、上述した摺動支持面２５が摺動する。給紙トレイ支持面３３に一体に形成されたポスト３４には、Ｌ字状のア−ム３５が回動自在に取り付けられている。Ｌ字状ア−ム３５の一端には、ポスト３６が給紙トレイ９側に向かって、給紙トレイ９が給紙装置本体８に装着された際に、上記ホッパプレ−ト２６に形成された張出部２８の下部に位置付けられる位置に取り付けられている。また、Ｌ字状ア−ム３５の他端には、スプリング掛け用孔３７が開けられている。
【００１６】
側壁１１の上部にはポスト３８が取り付けられている。このポスト３８には第１のリンク３９の一端が回動自在に取り付けられており、第１のリンク３９の他端には、リンクポスト４１が取り付けられている。
【００１７】
リンクポスト４１は、給紙トレイ装着時に、前記給紙トレイ９の第２の凸部２３が、通過する空間内まで突出している。そして、一端がポスト３６に、他端がリンクポスト４１に回動自在に取り付けられた第２のリンク４０により、Ｌ字状ア−ム３５と第１のリンク３９とが連結されている。
【００１８】
ポスト３８には、一端が側壁１１に設けられたストッパ４２に当接し、他端が第１のリンク３９にひっ掛けられた状態で、ト−ションスプリング４３が巻装されている。このト−ションスプリング４３の付勢力により第１のリンク３９は矢印Ａ方向に付勢されている。ト−ションスプリング４３は、第２のリンク４０が後述するリンクストッパに当接した状態を保持しておく役割と、第１のリンク３９と第２のリンク４０が座屈した際に元の位置に戻す役割を果たしている。
【００１９】
図５、図６に示すように、ト−ションスプリング４３の付勢力により回動しようとするリンクポスト４１の中心点が、ポスト３８とポスト３６を結んだ線よりも給紙カセット９装着方向上流（矢印Ｃ方向）に位置した状態で、第１のリンク３９と第２のリンク４０との矢印Ａ方向への回動が停止するように、リンクストッパ４４が側壁１１に形成されている。従って、Ｌ字状ア−ム３５が矢印Ｆ方向に回動しようとして、ポスト３６に矢印Ｆ方向のモ−メントがかかった時、第１のリンク３９と第２のリンク４０はリンクストッパ４４に当接する方向に座屈するため、座屈がリンクストッパ４４により阻止されて、Ｌ字状ア−ム３５の矢印Ｆ方向の回動も阻止される。
【００２０】
そして、リンクストッパ４４に第２のリンク４０が当接した状態で、Ｌ字状ア−ム３５に取り付けられたポスト３６の上面が、給紙トレイ支持面３３よりも下に位置するように、第１のリンク３９と第２のリンク４０の長さが設定されている。
【００２１】
以上第１のリンク３９と、第２のリンク４０と、ト−ションスプリング４３と、リンクストッパ４４と、リンクポスト４１とからリンク機構５７が構成されている。
【００２２】
側壁１１には、また、Ｌ字状ア−ム３５が下降した状態すなわち図５、図６に示す状態で、スプリング掛け用孔３７と略同じ高さに、案内溝４５が形成されている。そして、この案内溝４５には、後述するスライド部材に形成された支持ポスト４７と支持ポスト４８とが摺動自在に係合している。
【００２３】
図７において、スライド部材４６には、支持ポスト４７と、支持ポスト４７と反対側に支持ポスト４８とが一体に形成され、支持ポスト４７は、給紙トレイ装着時に、前記給紙トレイ９の第１の凸部２２が、通過する空間内まで突出している。そして、前述したように、スライド部材４６の支持ポスト４７と支持ポスト４８は案内溝４５に摺動自在に係合していると共に、図５に示すように、支持ポスト４７と支持ポスト４８を中心として、所定の角度を矢印Ｄ−Ｅ方向に回動自在に支持されている。
【００２４】
スライド部材４６の一端４６ａ（支持ポスト４７よりも給紙トレイ装着方向下流、すなわち図５に示す矢印Ｂ方向）には、側壁１１側に向かって突出している滴形の第１の突起４９と、給紙トレイ９側に向かって突出している平板状の第２の突起５０とが形成されている。なお、第２の突起５０の突出量は、給紙トレイ装着時に、前記給紙トレイ９の第３の凸部２４が、通過する空間内までとなっている。また、図８において、支持ポスト４７から第２の突起５０までの距離Ｌ２は、前記給紙トレイ９の第１の凸部２２から第３の凸部２４までの距離Ｌ１と略同じに設定されている。
【００２５】
図７において、スライド部材４６の他端４６ｂ（支持ポスト４７よりも給紙トレイ装着方向上流）には、スプリング掛け用孔５１が開けられている。図５、図６において、スプリング掛け用孔５１には、付勢部材としての引っ張りコイルスプリング５３の一端が取り付けられている。引っ張りコイルスプリング５３の他端はスプリング掛け用孔３７に取り付けられており、引っ張りコイルスプリング５３は、付勢力が発生すると、Ｌ字状ア−ム３５の他端を図６に示す矢印Ｂ方向に付勢し、スライド部材４６の他端４６ｂを矢印Ｃ方向に付勢する。
【００２６】
なお、図９において、案内溝４５の給紙トレイ装着方向上流側には、ストッパ５２が形成されており、支持ポスト４７がストッパ５２に当接した状態では、スライド部材４６を矢印Ｃ方向へ移動させる引っ張りコイルスプリング５３の付勢力はゼロに設定されている。すなわち、矢印Ｂ方向及び矢印Ｃ方向への付勢力がない。
【００２７】
また、図５において、引っ張りコイルスプリング５３の下部に対応する側壁１１には、支持突起５６が形成されており、支持突起５６により、引っ張りコイルスプリング５６は略水平状態を保持することができる。従って、スライド部材４６も支持ポスト４７、支持ポスト４８を支点として回動することなく、略水平状態を保持することができる。
【００２８】
図５、図９において、案内溝４５よりも給紙トレイ装着方向下流の側壁１１すなわち、静止時のスライド部材４６の位置よりも給紙トレイ装着方向下流の側壁１１には、カム状凸部５４とカム状凸部５５とが形成されている。カム状凸部５４はカム面５４ａ、カム面５４ｂ、水平カム面５４ｃを備えている。そして、カム面ａの上位点５４ａ１は、案内溝４５の水平方向の高さ位置、すなわち、スライド部材４６の第２の突起５０の水平方向の高さ位置よりわずかに高い位置に設定されている。そして、このカム状凸部５４には、給紙トレイ装着時に、前記第１の突起４９が引っ掛かるようになっている。
【００２９】
また、カム状凸部５５は、スライド部材４６が矢印Ｄ方向に回動する際の跳ね上がり防止部材であり、スライド部材４６が矢印Ｄ方向に回動する際に、カム状凸部５５の一端５５ａに当接することにより、一端５５ａがストッパとなり、スライド部材４６の一端４６ａが矢印Ｄ方向に回動しようとする勢いを減少させることができる。
【００３０】
カム状凸部５４からカム状凸部５５までの距離Ｍ１は図１０に示す第２の突起５０の幅Ｔよりも広く、カム状凸部５４からカム状凸部５５までの距離Ｍ２は第２の突起５０の幅Ｔよりも狭く、カム状凸部５４からカム状凸部５５までの距離Ｍ３は第２の突起５０の幅Ｔよりも広く設定されている。また、水平カム面５４ｃの位置は、給紙トレイ９の第３の凸部２４の高さと略同じかあるいはわずかに低く、且つスライド部材４６の第１の突起４９が略水平に移動した際の先端４９ａの高さよりも低く設定されている。
【００３１】
以上Ｌ字状ア−ム３５と、スライド部材４６と、支持ポスト４７、支持ポスト４８と、第１の突起４９と、第２の突起５０と、引っ張りコイルスプリング５３と、カム状凸部５４と、リンク機構５７とから上昇機構３２が構成されている。
【００３２】
次に上記構成における給紙トレイ９の給紙装置３への着脱動作について説明する。図１１、図１２、図１３、図１４、図１５、図１６、図１７、図１８、図１９、図２０は第１実施例の動作を示す説明図である。なお、説明に不必要な部分は省略してある。また給紙トレイ９側及び給紙装置本体８のフレ−ムは２点鎖線で示してある。また、給紙装置本体８の右側面側しか示してしないが、左側面側も同様の動作を行う。
【００３３】
まず、オペレ−タが給紙トレイ９に単票用紙４を収納し、図１１に示す給紙トレイ支持面３３に給紙トレイ９の摺動支持面２５を乗せて給紙装置本体８に矢印Ｂ方向へ押し込むことにより挿入していく。この時、ホッパプレ−ト２６は下降しているので、単票用紙４はホッピングロ−ラ５と接触することなく、給紙トレイ９の第３の凸部２４はスライド部材４６の支持ポスト４７と第２の突起５０とに接触することなく、下側を通過する。更に給紙トレイ９を矢印Ｂ方向へ挿入すると、図１２に示すように、給紙トレイ９の第１の凸部２２がスライド部材４６の支持ポスト４７に当接する位置に到達する。
【００３４】
更に、オペレ−タが矢印Ｂ方向に給紙トレイ９を挿入すると、スライド部材４６も、第１の凸部２２に押圧されて矢印Ｂ方向に給紙トレイ９と共に移動する。この時、側壁１１の支持突起５６が引っ張りコイルスプリング５３を支持しているので、スライド部材４６は略水平状態を保って移動する。そして、スライド部材４６の移動にともなって引っ張りコイルスプリング５３が伸びて付勢力が発生し始める。すると、Ｌ字状ア−ム３５が側壁１１のポスト３４を支点として矢印Ｆ方向に回動しようとするが、ト−ションスプリング４３の付勢力により、第２のリンク４０がストッパ４４に当接した状態で固定されているので、Ｌ字状ア−ム３５の回動は阻止される。従って、ホッパプレ−ト２６は下降した状態を保持し続ける。
【００３５】
その後、更にオペレ−タが給紙トレイ９を矢印Ｂ方向に挿入すると、図１３に示すように、スライド部材４６の第１の突起４９がカム状凸部５４のカム面５４ａに当接し、第１の突起４９はカム状凸部５４のカム面５４ａに沿いながら移動する。すると、スライド部材４６は支持ポスト４７、支持ポスト４８を支点として矢印Ｅ方向に回動しながら矢印Ｂ方向への移動をし続ける。なお、図１２に示す位置でスライド部材４６が停止している状態の第１の突起４９の位置からカム状凸部５４のカム面５４ａまでの距離を十分とれば、引っ張りコイルスプリング５３の張力により、スライド部材４６は、常に引っ張りコイルスプリング５３の張力の作用線上、すなわち略水平方向に向くので、引っ張りコイルスプリング５３を支持する支持突起５６は不要となる。
【００３６】
その後、更にオペレ−タが給紙トレイ９を矢印Ｂ方向に挿入すると、図１４に示すように、給紙トレイ９の第２の凸部２３がリンクポスト４１に当接する。そして、更にオペレ−タが給紙トレイ９を矢印Ｂ方向に挿入し、図１５に示すように、スライド部材４６の第１の突起４９がカム状凸部５４のカム面５４ａを通過する位置まで給紙トレイ９が挿入されると、引っ張りコイルスプリング５３の矢印Ｃ方向への付勢力によりスライド部材４６は支持ポスト４７と支持ポスト４８を支点として矢印Ｄ方向に回動する。このとき、リンクポスト４１が、給紙トレイ９の第２の凸部２３に押圧されて、ポスト３８の中心とポスト３６の中心を結んだ線Ｙ上を通過すると、引っ張りコイルスプリング５３の付勢力により、第１のリンク３９と第２のリンク４０はト−ションスプリング４３の付勢力に抗して座屈し、Ｌ字状ア−ム３５には引っ張りコイルスプリング５３の付勢力が印加され、矢印Ｆ方向に回動し、図１６に示す状態となる。そして、給紙トレイ９は側壁１１に設けた図示せぬストッパに当接して、更なる給紙トレイ９の挿入は阻止される。
【００３７】
スライド部材４６が図１５に示す状態から図１６に示す状態に移行する過程は、スライド部材４６が矢印Ｄ方向に回動する際に、引っ張りコイルスプリング５３の付勢力により矢印Ｃ方向に戻されるので、第１の突起４９は先端がカム状凸部５４のカム面５４ｂに接触しながら上昇し、図１６に示すように、水平カム面５４ｃに到達し、第１の突起４９は、水平カム面５４ｃに引っ掛かった状態となる。なお、スライド部材４６が矢印Ｄ方向に回動する際に、引っ張りコイルスプリング５３の付勢力により、スライド部材４６の一端４６ａが大きく矢印Ｄ方向に回動しようとするが、カム状凸部５５の一端５５ａに当接することにより、一端５５ａがストッパとなり、スライド部材４６の一端４６ａが矢印Ｄ方向に回動しようとする勢いが減少する。その結果、第１の突起４９は、必ず、水平カム面５４ｃに引っ掛かる。
【００３８】
またこのとき、第２の突起５０は傾いた状態で給紙トレイ９の第３の凸部２４の移動空間内に入り込むので、第２の突起５０は給紙トレイ９の第３の凸部２４に引っ掛かる。従って、オペレ−タが給紙トレイ９から手を離して、引っ張りコイルスプリング５３の矢印Ｃ方向への付勢力がスライド部材４６を介して給紙トレイ９に印加されても、引っ張りコイルスプリング５３の矢印Ｂ方向への付勢力はＬ字状ア−ム３５に印加され続け、給紙トレイ９は移動せず、図１６に示す状態を保持する。
【００３９】
そして、Ｌ字状ア−ム３５が回動することにより、ポスト３６が、図１に示すホッパプレ−ト２６の張出部２８に当接し、そのままホッパプレ−ト２６を回動させて、図１６に示すように上昇させる。すると、単票用紙４が、ホッピングロ−ラ５に、引っ張りコイルスプリング５３の付勢力により押しつけられる。ここで、図４に示すモ−タ１７が駆動され、単票用紙４は印刷装置１に供給される。印刷装置１に供給される単票用紙４の枚数が増えるに従って、引っ張りコイルスプリング５３の付勢力によりＬ字状ア−ム３５の矢印Ｆ方向への回動が進み、ポッピングロ−ラ５への単票用紙４の押圧は保持され続ける。なお、この時、ト−ションスプリング４３の矢印Ａ方向への付勢力が一番強くなっている。
【００４０】
そして、給紙トレイ９に収納された単票用紙４が全て印刷装置１へ供給されると、図１７に示す状態となり、ホッパプレ−ト２６がホッピングロ−ラ５に当接する。
【００４１】
次に単票用紙４を給紙トレイ９に新たに収納するために、給紙トレイ９を給紙装置本体８から抜く動作について説明する。
【００４２】
図１８において、オペレ−タは給紙トレイ９を矢印Ｂ方向へ押し込む。すると、給紙トレイ９の移動と共にスライド部材４６も矢印Ｂ方向へ移動し、第１の突起４９はカム面５４ｃから外れる。すると、引っ張りコイルスプリング５３の付勢力によりスライド部材４６は支持ポスト４７、支持ポスト４８を支点として矢印Ｄ方向へ回動し、図１９に示す状態となる。すなわち、第１の突起４９はカム状凸部５４からの保持から開放され、それにより、スライド部材４６は真っ直ぐになるので、第２の突起５０も第３の凸部２４から開放される。
【００４３】
ここで、給紙トレイ９を矢印Ｂ方向に押し込んでいる力を解除すると、図２０に示すように、引っ張りコイルスプリング５３の付勢力によりスライド部材４６と給紙トレイ９は矢印Ｃ方向に移動する。すると、引っ張りコイルスプリング５３は、図５に示す付勢力がゼロの状態に近付いていくことになるので、引っ張りコイルスプリング５３の矢印Ｂ方向への付勢力も徐々に弱くなっていく。すると、Ｌ字状ア−ム３５を矢印Ｆ方向に回動させておく付勢力が弱くなるので、ホッパプレ−ト２６が自重で矢印Ｇ方向に回動し、それと共にＬ字状ア−ム３５も矢印Ｇ方向に回動し、下降する。
【００４４】
一方、給紙トレイ９を矢印Ｂ方向に押し込んでいる力を解除すると、第１のリンク３９と第２のリンク４０はト−ションスプリング４３の付勢力により両リンクが一直線状態となった位置を通過し、リンクストッパ４４まで確実に到達する。そして、図１１に示す状態に戻り、オペレ−タが給紙トレイ９を矢印Ｃ方向に更に抜くことにより、給紙トレイ９を給紙装置本体８から抜き取ることができる。
【００４５】
上記第１実施例においては、オペレ−タが印刷装置１あるいは給紙装置本体８から抜き差しする給紙トレイ９に、単票用紙４をホッピングロ−ラ５に押圧する機構部材が取り付けられていないので、給紙トレイ９が軽くなり、取り扱いやすくなる。また、給紙トレイ９を誤って落としてしまっても、機構部材を破損してしまうことのない信頼性の高い給紙装置３を提供することができる。更に、給紙トレイ９は簡単な構造となっているので、給紙トレイ９を構成する部品点数は少ない。従って、安価な給紙トレイ９を製造することができるので、単票用紙４のサイズの種類数に応じて複数個の給紙トレイ９を常備して運用しなくてはならなくても問題ない。
【００４６】
第２実施例
次に本発明の第２実施例について図面を参照しながら詳細に説明する。なお、上記第１実施例と同様な部分には同一の符号を付して説明は省略する。図２１は第２実施例のリンク機構を示す説明図である。
【００４７】
この第２実施例において、上記第１実施例と異なる点は、ホッパプレ−ト２６が上昇しておらず、Ｌ字状ア−ム３５が静止している状態（図２１に示す位置をＬ字状ア−ム３５が静止している状態とする）で、Ｌ字状ア−ム３５のポスト３６の中心とポスト３８の中心とを結んだ線Ｚよりも、リンクポスト４１が、用紙トレイ９装着方向上流に位置し、且つ第２のリンク４０がリンクストッパ４４に当接している状態で、第１のリンク３９のポスト３８の中心と、リンクポスト４１の中心とを結んだ線Ｘが垂直となるように、Ｌ字状ア−ム３５の回動支点であるポスト３４と、第１のリンク３９の回動支点であるポスト３８と、第２のリンク４０と、リンクポスト４１と、リンクストッパ４４とを配置する。
【００４８】
リンク機構５７を上記の構成とすると、Ｌ字状ア−ム３５が下降してくる際に、第１のリンク３９の自重で確実に垂直位置すなわち、ポスト３８の中心と、リンクポスト４１の中心とを結んだ線Ｘが垂直となる位置まで戻すことが可能となる。従って、ト−ションスプリング４３を削除することができる。
【００４９】
以上が上記第１実施例と異なる点である。その他の点は上記第１実施例と同様なので説明は省略する。
【００５０】
上記第２実施例においては、上記第１実施例と同様の効果を奏すると共に、必要な構成部品の数を減らすことができる。また、Ｌ字状ア−ム３５の回転角が大きくなっても、ト−ションスプリング４３のように、弾性力が増加していくことがないので、弾性力の増加による単票用紙４のホッピングロ−ラ５への押圧力の影響がない。
【００５１】
第３実施例
次に本発明の第３実施例について図面を参照しながら詳細に説明する。なお、上記第１実施例と同様な部分には同一の符号を付して説明は省略する。図２２は第３実施例のリンク機構を示す説明図である。
【００５２】
この第３実施例において、上記第１実施例と異なる点は、図２２に示すように、第２のリンク４０が矢印Ｈ方向に回動する際に描かれる回動軌跡に対応する位置の側壁１１の面が、給紙トレイ側に垂直に突出して、カム状壁５８が形成されている。カム状壁５８にはリンク係止部５９が設けられている。なお、リンク係止部５９はポスト３６よりも用紙トレイ装着方向上流に対応する位置に形成されている。すなわち、Ｌ字状ア−ム３５が静止している状態における、Ｌ字状ア−ム３５の回動支点であるポスト３４からポスト３６までの距離よりも、ポスト３４からリンク係止部５９までの距離の方が長い位置に、リンク係止部５９が形成されている。
【００５３】
そして、この第３実施例においては、第１のリンク３９が設けられておらず、第２のリンク４０の他端４０ａは、リンク係止部５９に係止されている。ポスト３６にはト−ションスプリング６０が巻装され、ト−ションスプリング６０の一端はＬ字状ア−ム３５の一端に形成されたスプリング掛け用孔６１に取り付けられ、他端は第２のリンク４０に取り付けられている。そして、このト−ションスプリング６０は、第２のリンク４０をリンク係止部５９に係止させる方向（矢印Ｉ方向）に付勢している。
【００５４】
以上第２のリンク４０と、カム状壁５８と、リンク係止部５９と、ト−ションスプリング６０とからリンク機構５７が構成されている。
【００５５】
次に、リンク機構５７を上記の構成とした場合の給紙トレイ９を給紙装置本体８に装着する際の動作について説明する。なお、給紙トレイ９が給紙装置本体８に装着される前は、第２のリンク４０及びＬ字状ア−ム３５は図２２に示す位置に位置付けられている状態とする。図２３は第３実施例のリンク機構の動作を示す説明図である。
【００５６】
上記第１実施例と同様に、給紙トレイ９を給紙装置本体８に挿入すると、引っ張りコイルスプリング５３の付勢力によりＬ字状ア−ム５３の一端が矢印Ｆ方向に回動しようとするが、第２のリンク４０の他端４０ａがリンク係止部５９に引っ掛かっているので回動は阻止される。更に給紙トレイ９を挿入していくと、給紙トレイ９の第１の凸部２２がリンクポスト４１に当接し、リンクポスト４１を押す。すると、図２３に示すように、第２のリンク４０の他端４０ａがリンク係止部５９から抜け出る。そして、Ｌ字状ア−ム３５は矢印Ｆ方向に回動し始め、それにより、第２のリンク４０の他端４０ａは２点鎖線で示すように、カム状壁５８に沿って摺動する。そして、ポスト３６がホッパプレ−ト２６の張出部２８を押圧してホッパプレ−ト２６に積載された単票用紙４をポッピングロ−ラ５に押圧する。
【００５７】
一方、給紙トレイ９が給紙装置本体８から抜かれると、Ｌ字状ア−ム３５は上記第１実施例と同様に下降し、第２のリンク４０はト−ションスプリング６０の付勢力によりリンク係止部５９に再び係止される。
【００５８】
以上が上記第１実施例と異なる点である。その他の点は上記第１実施例と同様なので説明は省略する。
【００５９】
上記第３実施例においては、上記第１実施例と同様の効果を奏すると共に、必要な構成部品の数を減らすことができる。また、Ｌ字状ア−ム３５の回転角が大きくなっても、ト−ションスプリング４３のように、弾性力が増加していくことがないので、弾性力の増加による単票用紙４のホッピングロ−ラ５への押圧力の影響がない。
【００６０】
第４実施例
次に本発明の第４実施例について図面を参照しながら詳細に説明する。なお、上記第１実施例と同様な部分には同一の符号を付して説明は省略する。図２４は第４実施例の給紙トレイを示す斜視図、図２５は第４実施例の給紙装置本体の一部を示す斜視図である。
【００６１】
この第４実施例において、上記第１実施例と異なる点は、給紙トレイ９には、第３の凸部２４が形成されておらず、トレイフレ−ム３０には、ロックア−ム６３が、トレイフレ−ム３０に左右対称に一体に形成されたポスト６５により回動自在に取り付けられている。ロックア−ム６３は、側壁２０、２１方向にそれぞれ伸びて、ロックア−ム６３の先端は、フックア−ム６４となっている。そして、このロックア−ム６３は図示せぬ付勢手段により矢印Ｐ方向に付勢されている。
【００６２】
図２５において、給紙装置本体８の側壁１１には、上記第１実施例で形成されていたカム状凸部５４とカム状凸部５５とがなく、給紙トレイ支持面３３には、垂直壁３３ｂが形成されている。また、スライド部材４６には、第１の突起４９と第２の突起５０とが形成されていない。それ故、その分スライド部材４６の長さは第１実施例よりも短くなっている。
【００６３】
以上Ｌ字状ア−ム３５と、スライド部材４６と、支持ポスト４７と、支持ポスト４８と、引っ張りコイルスプリング５３と、リンク機構５７と、垂直壁３３ｂとから上昇機構３２が構成されている。また、第１の凸部２２と、第２の凸部２３と、フックア−ム６４とから上昇機構動作部３１が構成されている。
【００６４】
次に上記構成における給紙トレイ９の給紙装置３への着脱動作について説明する。図２６、図２７、図２８は第４実施例の動作を示す説明図である。なお、説明に不必要な部分は省略してある。
【００６５】
図２６において、まず、単票用紙４が収納された給紙トレイ９の摺動支持面２５を、給紙トレイ支持面３３に乗せて給紙装置本体８に矢印Ｂ方向へ押し込むことにより挿入していく。すると、給紙トレイ９の第１の凸部２２がスライド部材４６の支持ポスト４７に当接する位置に到達する。
【００６６】
更に、オペレ−タが矢印Ｂ方向に給紙トレイ９を挿入すると、スライド部材４６も、第１の凸部２２に押圧されて矢印Ｂ方向に給紙トレイ９と共に移動する。一方、ロックア−ム６４は、用紙トレイ支持面３３の一端３３ａに当接する。更に、オペレ−タが矢印Ｂ方向に給紙トレイ９を挿入し、所定位置まで給紙トレイ９が挿入されると、ロックア−ム６４は矢印Ｊ方向に回動して一端３９ａを乗り越えて、図２７に示すように垂直壁３９ｂに引っ掛かり、給紙トレイ９は給紙装置本体８に係止される。それと同時に、第２の凸部２３がリンクポスト４１を押圧し、Ｌ字状ア−ム３５には引っ張りコイルスプリング５３の付勢力が印加され、ポッパプレ−ト２６がポスト３６により押圧されて上昇する。それにより、単票用紙４がポッピングロ−ラ５に当接し、引っ張りコイルスプリング５３の付勢力により単票用紙４はポッピングロ−ラ５への押圧状態が保持される。そして、モ−タ１７の駆動によりホッピングロ−ラ５が回転し、単票用紙４が印刷装置１へ供給される。
【００６７】
次に単票用紙４を給紙トレイ９に新たに収納するために、給紙トレイ９を給紙装置本体８から抜く動作について説明する。
【００６８】
図２８において、オペレ−タがフックア−ム６４を矢印Ｋ方向に回動させると、フックア−ム６４と垂直壁３９ｂとの係止状態が解除される。すると、上記第１実施例と同様に、引っ張りコイルスプリング５３の付勢力により給紙トレイ９は矢印Ｃ方向に押し出され、それと同時に、ホッパプレ−ト２６も下降する。
【００６９】
以上が上記第１実施例と異なる点である。その他の点は上記第１実施例と同様なので説明は省略する。
【００７０】
上記第４実施例においては、上記第１実施例と同様の効果を奏することができると共に、給紙トレイ９側においては、凸部の数を減らすことができ、給紙装置本体８側においては、スライド部材４６に第１の突起４９、第２の突起５０を設ける必要がなく、また、側壁１１にカム状凸部５４、カム状凸部５５を設ける必要がないので、その分必要な構成部品の数を減らすことができる。
【００７１】
第５実施例
次に本発明の第５実施例について図面を参照しながら詳細に説明する。なお、上記第１実施例と同様な部分には同一の符号を付して説明は省略する。図２９は第５実施例の給紙トレイを示す斜視図、図３０は第５実施例の給紙トレイの一部の構造を示す説明図である。
この第５実施例において、上記第１実施例と異なる点は、図２９、図３０において、給紙トレイ９のトレイフレ−ム３０の左右の側壁２０、２１には、給紙トレイ９の略中央部に、給紙トレイ装着方向と直交する方向に側壁２０、２１が突出して形成された第１の凸部６６ａ、６６ｂと、第１の凸部６６から所定の距離Ｌ１だけ給紙トレイ装着方向下流で、給紙トレイ装着方向と直交する方向に側壁２０、２１が突出して形成された第２の凸部６７ａ、６７ｂが設けられている。
【００７２】
なお、第１の凸部６６は、上記第１実施例の第１の凸部２２と同一であり、第２の凸部６７は、上記第１実施例の第３の凸部２４と同一である。すなわち、第１実施例と同様に、左側の側壁２０の第１の凸部６６と右側の側壁２１の第１の凸部６６との間の幅は、側壁２０、２１間の最大幅よりもわずかに狭い幅を有している。
【００７３】
側壁２０、２１には、給紙トレイ９が給紙装置本体８に装着される際に、給紙装置３の後述する給紙トレイ支持面上を摺動する摺動支持面２５が形成されている。側壁２０、２１にはまた、ホッパプレ−ト２６が、ポスト２７ａ、２７ｂにより回動自在に取り付けられている。回動支点と反対側端部のホッパプレ−ト２６には、張出部２８が形成されている。そして、この張出部２８は、張出部２８の回動軌跡に沿って側壁２０、２１に形成された開口２９から側壁外側に突出しており、その突出位置は、摺動支持面２５からわずかに高い位置となっている。
【００７４】
側壁２０、２１にはまた、張出部２８の下部に対応する位置から所定距離だけ給紙トレイ９装着方向下流に、規制リブ６８が給紙トレイ９方向に突出して形成されている。
【００７５】
以上第１の凸部６６と、第２の凸部６７と、規制リブ６８とから上昇機構動作部３１が構成されている。
【００７６】
次に給紙装置３の側壁１０、１１に設けられた上昇機構３２について説明する。ここでは、右側の側壁１１について説明するが、左側の側壁１０についても、同一部材が右側の側壁１１と対称に具備されている。図３１は第５実施例の給紙装置本体の一部を示す斜視図、図３２、図３３は第５実施例の給紙装置本体の一部の構造を示す説明図である。
【００７７】
図３１、図３２において、側壁１１には、用紙トレイ支持面３３が形成されており、用紙トレイ支持面３３上は、給紙トレイ９が給紙装置本体８に装着される際に、上述した摺動支持面２５が摺動する。用紙トレイ支持面３３に一体に形成されたポスト３４には、略三角形のア−ム６９が回動自在に取り付けられている。三角形ア−ム６９の一端には、ポスト３６が給紙トレイ９側に向かって取り付けられており、このポスト３６の取り付け位置は、給紙トレイ９が給紙装置本体８に装着された際に、ホッパプレ−ト２６に形成された張出部２８の下部に位置付けられる位置であって、また、給紙カセット９が挿入される際に、上記規制リブ６８が上方を通過する位置である。
【００７８】
また、三角形ア−ム６９の他端には、スプリング掛け用孔３７が開けられている。このスプリング掛け用孔３７には、上記第１実施例に示した引っ張りコイルスプリング５３の他端が取り付けられている。そして、引っ張りコイルスプリング５３に付勢力が発生すると、三角形ア−ム６９の他端が矢印Ｆ方向に付勢される。
【００７９】
三角形ア−ム６９の重心Ｎは、図３３に示すように、ポスト３４を通る垂直線Ｗよりも給紙トレイ装着方向上流に位置するようになっており、垂直線Ｗよりも給紙トレイ装着方向上流に位置する三角形ア−ム６９の重量が、引っ張りコイルスプリング５３と、引っ張りコイルスプリング５３の一端が取り付けられているスライド部材４６とを合わせた重量よりも重くなるように設定されている。それ故、三角形ア−ム６９は、給紙トレイ９が装着されていない状態では、ポスト３４を支点として、常に自重で矢印Ｇ方向に回動し、ポスト３６が用紙トレイ支持面３３よりも下に位置した状態で静止している。
【００８０】
以上三角形ア−ム６９と、スライド部材４６と、支持ポスト４７と、支持ポスト４８と、引っ張りコイルスプリング５３と、第１の突起４９と、第２の突起５０と、カム状凸部５４とから上昇機構３２が構成されている。
【００８１】
なお、本実施例においては、側壁１１、１２には上記第１実施例に示したリンク機構５７は設けられていない。以上が上記第１実施例と異なる点である。その他の構造は上記第１実施例と同様なので、説明は省略する。
【００８２】
次に上記構成における給紙トレイ９の給紙装置３への着脱動作について説明する。図３４、図３５、図３６、図３７、図３８、図３９、図４０、図４１、図４２、図４３は第５実施例の動作を示す説明図である。なお、説明に不必要な部分は省略してある。また給紙トレイ９側、及び給紙装置本体８のフレ−ムは２点鎖線で示してある。また、給紙装置本体８のの右側面側しか示してしないが、左側面側も同様の動作を行う。
【００８３】
まず、オペレ−タが給紙トレイ９に単票用紙４を収納し、図３４に示す給紙トレイ支持面３３に給紙トレイ９の摺動支持面２５を乗せて給紙装置本体８に矢印Ｂ方向へ押し込むことにより挿入していく。この時、ホッパプレ−ト２６は下降しているので、単票用紙４はホッピングロ−ラ５と接触することなく、給紙トレイ９の第２の凸部６７はスライド部材４６の支持ポスト４７と第２の突起５０とに接触することなく、下側を通過する。更に給紙トレイ９を矢印Ｂ方向へ挿入すると、図３５に示すように、給紙トレイ９の第１の凸部６６がスライド部材４６の支持ポスト４７に当接する位置に到達する。
【００８４】
更に、オペレ−タが矢印Ｂ方向に給紙トレイ９を挿入すると、スライド部材４６も、第１の凸部６６に押圧されて矢印Ｂ方向に給紙トレイ９と共に移動する。この時、側壁１１の支持突起５６が引っ張りコイルスプリング５３を支持しているので、スライド部材４６は略水平状態を保って移動する。そして、スライド部材４６の移動にともなって引っ張りコイルスプリング５３が伸びて付勢力が発生し始める。すると、三角形ア−ム６９が側壁２１のポスト３４を支点として矢印Ｆ方向に回動しようとするが、ポスト３６の上方には規制リブ６８が位置付けられているので、三角形ア−ム６９の回動は阻止される。従って、ホッパプレ−ト２６は下降した状態を保持し続ける。
【００８５】
その後、更にオペレ−タが給紙トレイ９を矢印Ｂ方向に挿入すると、図３６に示すように、スライド部材４６の第１の突起４９がカム状凸部５４のカム面５４ａに当接し、第１の突起４９はカム状凸部５４のカム面５４ａに沿いながら移動する。すると、スライド部材４６は支持ポスト４７、支持ポスト４８を支点として矢印Ｅ方向に回動しながら矢印Ｂ方向への移動をし続ける。
【００８６】
その後、更にオペレ−タが給紙トレイ９を矢印Ｂ方向に挿入すると、図３７に示すように、ポスト３６の上方を規制リブ６８が通過する。そして、更にオペレ−タが給紙トレイ９を矢印Ｂ方向に挿入し、図３８に示すように、スライド部材４６の第１の突起４９がカム状凸部５４のカム面５４ａを通過する位置まで給紙トレイ９が挿入されると、引っ張りコイルスプリング５３の矢印Ｃ方向への付勢力によりスライド部材４６は支持ポスト４７と支持ポスト４８を支点として矢印Ｄ方向に回動する。このとき、ポスト３６が引っ張りコイルスプリング５３の付勢力によりポスト３４を支点として矢印Ｆ方向に回動し、図３９に示す状態となる。そして、給紙トレイ９は側壁１１に設けられた図示せぬストッパに当接して、更なる給紙トレイ９の挿入は阻止される。
【００８７】
スライド部材４６が図３８に示す状態から図３９に示す状態に移行する過程は、スライド部材４６が矢印Ｄ方向に回動する際に、引っ張りコイルスプリング５３の付勢力により矢印Ｃ方向に戻されるので、第１の突起４９は先端がカム状凸部５４のカム面５４ｂに接触しながら上昇し、図３９に示すように、水平カム面５４ｃに到達し、第１の突起４９は、水平カム面５４ｃに引っ掛かった状態となる。なお、スライド部材４６が矢印Ｄ方向に回動する際に、引っ張りコイルスプリング５３の付勢力により、スライド部材４６の端部４６ａが大きく矢印Ｄ方向に回動しようとするが、カム状凸部５５の一端５５ａに当接することにより、一端５５ａがストッパとなり、スライド部材４６の端部４６ａが矢印Ｄ方向に回動しようとする勢いが減少する。その結果、第１の突起４９は、必ず、水平カム面５４ｃに引っ掛かる。
【００８８】
またこのとき、第２の突起５０は傾いた状態で給紙トレイ９の第２の凸部６７の移動空間内に入り込むので、第２の突起５０は給紙トレイ９の第２の凸部６７に引っ掛かる。従って、オペレ−タが給紙トレイ９から手を離して、引っ張りコイルスプリング５３の矢印Ｃ方向への付勢力がスライド部材４６を介して給紙トレイ９に印加されても、引っ張りコイルスプリング５３の矢印Ｂ方向への付勢力は三角形ア−ム６９に印加され続け、給紙トレイ９は移動せず、図３９に示す状態を保持する。
【００８９】
そして、三角形ア−ム６９が回動することにより、ポスト３６が図２９に示すホッパプレ−ト２６の張出部２８に当接し、そのままホッパプレ−ト２６を回動させて、図３９に示すように上昇させる。すると、単票用紙４がホッピングロ−ラ５に引っ張りコイルスプリング５３の付勢力により押しつけられる。ここで、図４に示すモ−タ１７が駆動され、単票用紙４は印刷装置１に供給される。印刷装置１に供給される単票用紙４の枚数が増えるに従って、引っ張りコイルスプリング５３の付勢力により三角形ア−ム６９の矢印Ｆ方向への回動が進み、ポッピングロ−ラ５への単票用紙４の押圧は保持され続ける。
【００９０】
そして、給紙トレイ９に収納された単票用紙４が全て印刷装置１へ供給されると、図４０に示す状態となり、ホッパプレ−ト２６がホッピングロ−ラ５に当接する。
【００９１】
次に単票用紙４を給紙トレイ９に新たに収納するために、給紙トレイ９を給紙装置本体８から抜く動作について説明する。
【００９２】
図４１において、オペレ−タは給紙トレイ９を矢印Ｂ方向へ押し込む。すると、給紙トレイ９の移動と共にスライド部材４６も矢印Ｂ方向へ移動し、第１の突起４９はカム面５４ｃから外れる。すると、引っ張りコイルスプリング５３の付勢力によりスライド部材４６は支持ポスト４７、支持ポスト４８を支点として矢印Ｄ方向へ回動し、図４２に示す状態となる。すなわち、第１の突起４９はカム状凸部５４からの保持から開放され、それにより、スライド部材４６は真っ直ぐになるので、第２の突起５０も第２の凸部６７から開放される。
【００９３】
ここで、給紙トレイ９を矢印Ｂ方向に押し込んでいる力を解除すると、図４３に示すように、引っ張りコイルスプリング５３の付勢力によりスライド部材４６と給紙トレイ９は矢印Ｃ方向に移動する。すると、引っ張りコイルスプリング５３は、付勢力がゼロの状態に近付いていくことになるので、引っ張りコイルスプリング５３の矢印Ｂ方向への付勢力も徐々に弱くなっていく。すると、三角形ア−ム６９を矢印Ｆ方向に回動させておく付勢力が弱くなるので、三角形ア−ム６９は自重で矢印Ｇ方向に回動し、ポスト３６が用紙トレイ支持面３３よりも下方まで下がる。そして、それと共にホッパプレ−ト２６も矢印Ｇ方向に回動し、下降する。
【００９４】
オペレ−タが給紙トレイ９を矢印Ｃ方向に更に抜くことにより、給紙トレイ９を給紙装置本体８から抜き取ることができる。
【００９５】
以上が上記第１実施例と異なる点である。その他の点は上記第１実施例と同様なので説明は省略する。
【００９６】
上記第５実施例においては、上記第１実施例と同様の効果を奏することができると共に、給紙トレイ９側においては、凸部の数を減らすことができ、また、給紙装置本体８側においては、リンク機構５７を必要としないので、その分必要な構成部品の数を減らすことができる。
【００９７】
また、三角形ア−ム６９の回転角が大きくなっても、ト−ションスプリング４３のように、弾性力が増加していくことがないので、弾性力の増加による単票用紙４のホッピングロ−ラ５への押圧力の影響がない。
【００９８】
【発明の効果】
本発明は、以上詳細に説明したように構成されているので、以下に記載される効果を奏する。給紙装置本体に、用紙トレイが内部に装着されると、ホッパプレ−トを上昇させる上昇機構を設け、用紙トレイに、給紙装置の所定位置への装着にともない、ホッパプレ−トを上昇させる方向に上昇機構を働かす上昇機構動作部を設けたことにより、オペレ−タが給紙装置本体から抜き差しする給紙トレイに、単票用紙をホッピングロ−ラに押圧する機構部材が取り付けられていない。
その結果、給紙トレイが軽くなり、取り扱いやすくなる。また給紙トレイを誤って落としてしまっても、機構部材を破損してしまうことのない信頼性の高い給紙装置を提供することができる。
【００９９】
更に、給紙トレイは簡単な構造となっているので、給紙トレイを構成する部品点数は少ない。従って、安価な給紙トレイを製造することができるので、単票用紙のサイズの種類数に応じて複数個の給紙トレイを常備して運用しなくてはならなくても問題ない。
【図面の簡単な説明】
【図１】本発明に係る第１実施例の給紙トレイを示す斜視図である。
【図２】第１実施例の印刷装置の構造を示す説明図である。
【図３】第１実施例の給紙装置を示す斜視図である。
【図４】第１実施例の給紙装置の構造を示す説明図である。
【図５】第１実施例の給紙装置本体の一部を示す斜視図である。
【図６】第１実施例の給紙装置本体の一部の構造を示す説明図である。
【図７】第１実施例のスライド部材を示す斜視図である。
【図８】第１実施例のスライド部材を示す側面図である。
【図９】第１実施例の給紙装置本体の一部の構造を示す説明図である。
【図１０】第１実施例のスライド部材を示す側面図である。
【図１１】第１実施例の動作を示す説明図である。
【図１２】第１実施例の動作を示す説明図である。
【図１３】第１実施例の動作を示す説明図である。
【図１４】第１実施例の動作を示す説明図である。
【図１５】第１実施例の動作を示す説明図である。
【図１６】第１実施例の動作を示す説明図である。
【図１７】第１実施例の動作を示す説明図である。
【図１８】第１実施例の動作を示す説明図である。
【図１９】第１実施例の動作を示す説明図である。
【図２０】第１実施例の動作を示す説明図である。
【図２１】第２実施例のリンク機構を示す説明図である。
【図２２】第３実施例のリンク機構を示す説明図である。
【図２３】第３実施例のリンク機構の動作を示す説明図である。
【図２４】第４実施例の給紙トレイを示す斜視図である。
【図２５】第４実施例の給紙装置本体の一部を示す斜視図である。
【図２６】第４実施例の動作を示す説明図である。
【図２７】第４実施例の動作を示す説明図である。
【図２８】第４実施例の動作を示す説明図である。
【図２９】第５実施例の給紙トレイを示す斜視図である。
【図３０】第５実施例の給紙トレイの一部の構造を示す説明図である。
【図３１】第５実施例の給紙装置本体の一部を示す斜視図である。
【図３２】第５実施例の給紙装置本体の一部の構造を示す説明図である。
【図３３】第５実施例の給紙装置本体の一部の構造を示す説明図である。
【図３４】第５実施例の動作を示す説明図である。
【図３５】第５実施例の動作を示す説明図である。
【図３６】第５実施例の動作を示す説明図である。
【図３７】第５実施例の動作を示す説明図である。
【図３８】第５実施例の動作を示す説明図である。
【図３９】第５実施例の動作を示す説明図である。
【図４０】第５実施例の動作を示す説明図である。
【図４１】第５実施例の動作を示す説明図である。
【図４２】第５実施例の動作を示す説明図である。
【図４３】第５実施例の動作を示す説明図である。
【符号の説明】
３  給紙装置
８  給紙装置本体
９  給紙トレイ
２２  第１の凸部
２３  第２の凸部
２４  第３の凸部
２６  ホッパプレ−ト
３１  上昇機構動作部
３２  上昇機構
３５  Ｌ字状ア−ム
３９  第１のリンク
４０  第２のリンク
４１  リンクポスト
４３  ト−ションスプリング
４４  リンクストッパ
４６  スライド部材
４７  支持ポスト
４８  支持ポスト
４９  第１の突起
５０  第２の突起
５３  引っ張りコイルスプリング
５４  カム状凸部
５５  カム状凸部
５７  リンク機構
５８  カム状壁
５９  リンク係止部
６０  ト−ションスプリング
６３  ロックア−ム
６４  フックア−ム
６６  第１の凸部
６７  第２の凸部
６８  規制リブ
６９  三角形ア−ム
【図１】
0003550218.tif 000002
【図２】
0003550218.tif 000003
【図３】
0003550218.tif 000004
【図４】
0003550218.tif 000005
【図５】
0003550218.tif 000006
【図６】
0003550218.tif 000007
【図７】
0003550218.tif 000008
【図８】
0003550218.tif 000009
【図９】
0003550218.tif 000010
【図１０】
0003550218.tif 000011
【図１１】
0003550218.tif 000012
【図１２】
0003550218.tif 000013
【図１３】
0003550218.tif 000014
【図１４】
0003550218.tif 000015
【図１５】
0003550218.tif 000016
【図１６】
0003550218.tif 000017
【図１７】
0003550218.tif 000018
【図１８】
0003550218.tif 000019
【図１９】
0003550218.tif 000020
【図２０】
0003550218.tif 000021
【図２１】
0003550218.tif 000022
【図２２】
0003550218.tif 000023
【図２３】
0003550218.tif 000024
【図２４】
0003550218.tif 000025
【図２５】
0003550218.tif 000026
【図２６】
0003550218.tif 000027
【図２７】
0003550218.tif 000028
【図２８】
0003550218.tif 000029
【図２９】
0003550218.tif 000030
【図３０】
0003550218.tif 000031
【図３１】
0003550218.tif 000032
【図３２】
0003550218.tif 000033
【図３３】
0003550218.tif 000034
【図３４】
0003550218.tif 000035
【図３５】
0003550218.tif 000036
【図３６】
0003550218.tif 000037
【図３７】
0003550218.tif 000038
【図３８】
0003550218.tif 000039
【図３９】
0003550218.tif 000040
【図４０】
0003550218.tif 000041
【図４１】
0003550218.tif 000042
【図４２】
0003550218.tif 000043
【図４３】
0003550218.tif 000044